(57)【要約】【課題】建築物の壁面を湿潤状態に維持し、壁面緑化を可能にする。【解決手段】サイディング１は、金属製基板１１に容器２を着脱自在に設けたものである。容器２は、合成樹脂製または金属製であり、上面が解放された箱体であり、適宜の形状とすることができる。容器２の固定部２２を基板１１に設けたスリット１２にはめ込んで固定するもので、着脱自在である。基板１１の裏側には、壁面が多少の凹凸を有し平坦でない場合でも強固に貼り付けることができるように、溝や凹部が形成してある。溝の模様や凹部の配列は適宜なものとすることができる。容器２の底部には複数の穴２１が形成してあり、容器２の内部の水分が穴２１から徐々に排出されるようにしてある。容器内に土壌を充填し適宜の植物を植栽して、サイディング１を設置した壁面を緑化する。【選択図】図１
2008208608.tif 000002
【特許請求の範囲】
【請求項１】
基板の表面に水及び土壌等を収容する容器が着脱可能に設けてあるサイディング。
【請求項２】
請求項１において、容器の底部には穴が形成してあり、穴にはフィルターが設けてあるサイディング。
【請求項３】
建築物の壁面に請求項１〜２のいずれかのサイディングを縦方向に間隔をあけて設置して壁面を形成するサイディング工法。
【発明の詳細な説明】
【技術分野】
【０００１】
本発明は、建築物の壁面を湿潤状態に保持できるようにすると共に、壁面を緑化して壁面全体の美観を向上させ、生態系保全に有効なものに転換することができるサイディングとその施工方法に関する。
【背景技術】
【０００２】
建築物の壁面の化粧方法として、自然石を貼り付けたシートで壁表面を被覆する方法が提案されている。この工法は、凹凸や曲面を有する壁面に対しても適用することができる化粧方法である。
【０００３】
特許文献１（特開平１１−１７０７９８号）は、柔軟なシート基材に自然石などの表面化粧材を貼り付けたものであり、コンクリート構造物の表面を簡単に自然石で構築されたもののように化粧することができる。
【０００４】
降雨などによってシート表面の石材に供給された水は、比較的短時間で蒸発乾燥してシート表面が乾燥状態となる。景観上はコンクリート表面が自然石風となって一応の効果が得られるが、植物、小動物、昆虫等の生育の場として十分なものとはいえず、生態系を育成することが難しく、保水性の大きな石材を使用することによって表面に長期間をかけて苔を生育させる程度であった。
【特許文献１】特開平１１−１７０７９８号
【発明の開示】
【発明が解決しようとする課題】
【０００５】
そこで、建築物の壁面を湿潤状態に維持し、壁面に植物が生育することができる場を形成して壁面を緑化するものである。
【課題を解決するための手段】
【０００６】
金属、セラミック、木材、セメントコンクリート、または、合成樹脂、もしくは、発泡樹脂の基板に容器が設けてあるサイディングであって、サイディングを建築物の壁面に設置または既存の壁面に貼り付け、容器には土壌、人工土壌を充填して植物を生育させて壁面緑化を達成すると共に、夏季には、容器に保持した水分及び植物の水分蒸散作用によって、太陽熱による壁面の温度上昇を防止するものである。また、容器に植栽した植物によって、壁面を緑化し、見る人に安らぎを与えるものである。
【０００７】
更には、容器の底面に穴を設けたサイディングを壁面に配列して設置し、容器が保持している水分を下側のサイディングに緩やかに流下させて、壁全体に水分を供給するものである。
容器を発泡樹脂で構成した場合、軽量であって取り扱いが容易であり、また、断熱効果が期待できるので、壁面の緑化と共に省エネルギー効果を得ることができる。
【発明の効果】
【０００８】
容器内に充填された土壌等が降雨などの水分を保持するので、サイディングで形成された壁面を湿潤状態に維持し、容器に充填した土壌に植物を生育させることによって壁面を緑化することができる。
容器には土壌だけでなく、予め植物の種子や肥料、生育促進剤などを充填することができるので、植物が生育し、建築物の壁面を緑化することできる。
【０００９】
また、容器の底部に穴を形成し、雨水が容器内の土壌を湿潤状態にするだけでなく、水が穴を通過して下側に設置したサイディングの容器に流下して、壁面全体に水分が十分供給されることになり、壁面を緑化することができる。
【００１０】
夏季には、容器内で生育した植物により太陽熱が吸収されるので、周囲温度も下がり室内が涼しくなるというメリットがあり、冷房費の節約となる。
サイディングは、金属板製であり軽量であるので取り扱いが容易であり、人手をあまり必要とせず、低コストで効率よく施工することができる。
容器を発泡樹脂とすると、素材自体の強度があまり大きくないので、壁面に設置した容器を手掛かりにしてよじ登ろうとしても、発泡樹脂の容器が人の体重で破壊されたり、基板から剥離するので、壁面を登ることはほぼ不可能となり、保安上の問題はない。
【発明を実施するための最良の形態】
【００１１】
実施例１
図１に示すように、サイディング１は、金属製の基板１１（３００×９００ｍｍ）に５ｃｍ程度基板面から突出する金属製または樹脂製の容器２を基板１１に脱着可能に設けたものである。
図２に示すように、基板１１には容器２を着脱可能に取り付けるためのスリット１２が複数形成してあり、容器２が適宜の位置に固定できるようにしてある。容器２にはスリット１２に差し込んで固定するための固定部２２が容器２の上下または左右に設けてあり、これに対応してスリット１２は、容器２に対して上下方向、または、左右方向に設ける。
【００１２】
サイディング１の基板１１を従来の手法に従って壁面に固定し、容器２の固定部２２を差し込むことによって建築物の壁面の適宜の位置に土壌や水を収納することができる容器２が固定され、壁面ポットとして利用できる。
容器２の材質を発泡樹脂などの強度のあまり大きくないものを使用すると、壁面に設置したサイディング１の容器２を手掛かりにしてよじ登ろうと試みた者の体重が容器部分にかかると容器２が破壊するので防犯上好ましい。
【００１３】
容器２の内部には、補強の仕切りが中央部に設けてあり、底部には複数の穴２１が形成してあり、容器２の内部の水分が穴２１から徐々に排出されるようにしてある。また、穴２１には容器２内の土砂が水と共に流出して壁面を汚したりしないようにフィルター（図示しない）を設置する。
容器２の中には粘土、砂などの土壌、または、人工土壌を充填する。土壌は、予め容器２の形状に合わせた薄い合成樹脂容器にパックしておくと、容器２への土壌の充填設置が容易となる。必要に応じて充填した土壌に植物の種子や肥料、生育促進剤などを添加したり、容器の底部にヤシの繊維からなる保水マットを設ける。
雨水等の水分は、容器２内の土壌に保持されると共に、容器２の底部の穴２１を通過して下側のサイディング１に水分を供給する。  
【００１４】
既存の壁面にサイディングを貼り付けて使用する場合、基板１１は軽量であって強度の高い合成樹脂製とするのが好ましく、基板１１の裏面には、サイディング１を貼り付ける壁面が多少の凹凸を有し平坦でなかったり、また、種々の材質の壁面であっても貼り付けることができるように、溝や凹部を形成する。溝の模様や凹部の配列は碁盤目状、菱形、多数の円形溝や楕円形溝など適宜なものとすることができる。
【００１５】
図３は、本発明のサイディング１を使用した建築物の例であり、本発明のサイディング１を縦方向に間隔をあけて壁面に設置固定したものである。サイディング１の配列は、千鳥状など、適宜のパターンで配列して壁面をデザインして美観を与えるようにする。
雨水などの水分は、容器２の上部の開放部から容器２内に入り、容器内の土壌を湿潤状態に保持すると共に、容器２の底部の穴２１から沁み出し、下側に設置したサイディングの容器２内の土壌を湿潤状態にする。水分が穴を通過する際には穴２１に設置したフィルターによって、土壌の粒子の流出が阻止されるので、壁面が土壌によって汚染されることがない。
【産業上の利用可能性】
【００１６】
本発明のサイディングを設置することによって、新築の建築物の壁面だけでなく、既存の建築物の壁面を緑化することが簡単にできる。
サイディングを発泡樹脂製とすると、軽量なので取り扱いが容易であると共に施工が簡単であり、低コストで壁面を緑化することができる。
【図面の簡単な説明】
【００１７】
【図１】容器付きサイディングの斜視図。
【図２】容器付きサイディングの斜視図。
【図３】容器付きサイディングの側面図。
【図４】壁面緑化の施工例の正面図。
【符号の説明】
【００１８】
１    サイディング
１１  基板
２    容器
２１  穴
【図１】
2008208608.tif 000003
【図２】
2008208608.tif 000004
【図３】
2008208608.tif 000005
【図４】
2008208608.tif 000006